(57)【特許請求の範囲】
【請求項１】
鉄道用のレールを仮置きするための仮置き台を、前記レールの枕木を挟み込むようにして前記枕木に連結する仮置き台用クランプであって、
前記枕木の一方の面に接触する第１クランプ部材と、
前記枕木を挟んで前記第１クランプ部材と反対側の面から前記枕木に接触する第２クランプ部材と、
前記第１クランプ部材と前記第２クランプ部材とを連結するとともに、前記枕木を挟むクランプ力を発生させるボルト及びナットと、
前記ボルトを回転させて前記ボルトに前記クランプ力が発生させる際に、前記第１クランプ部材が前記第２クランプ部材に対して相対的に回転変位することを規制する回り止め手段とを備え、
前記回り止め手段は、
前記第１クランプ部材のうち前記第２クランプ部材と対向する部位に設けられた嵌合穴、及び
前記第２クランプ部材に設けられ、前記嵌合穴に嵌り込むように前記第１クランプ部材側に突出する嵌合突起部を有して構成され、
前記ボルトは、前記第１クランプ部材に設けられた穴に回転可能に挿入され、
前記ボルトが挿入される前記穴が設けられた上面プレートの位置は、前記穴に前記ボルトが挿入された際に、前記ボルトの頭部が前記第１クランプ部材の上端に位置する天井プレートの上面から突出しない位置に設定され、
前記ナットは、外周が多角形状に形成されているとともに、前記第２クランプ部材に接合されて前記嵌合突起部を構成しており、
前記嵌合穴は、前記ナットの外周面のうち少なくとも２つの面と平行な面を有する穴であることを特徴とする仮置き台用クランプ。
【請求項２】
前記ナットは、高ナットであることを特徴とする請求項１に記載の仮置き台用クランプ。
【発明の詳細な説明】
【技術分野】
【０００１】
本発明は、鉄道用のレールの仮置き台を枕木に連結するための仮置き台用クランプに関するものである。
【背景技術】
【０００２】
例えば、特許文献１に記載の仮置き台用クランプでは、第２クランプ部材の側面と接触する板を第１クランプ部材の側面に設けることにより、第１クランプ部材が第２クランプ部材に対して相対的に回転変位することを規制する回り止め手段を構成している。
【先行技術文献】
【特許文献】
【０００３】
【特許文献１】特開２０１０−１０１１３２号公報
【発明の概要】
【発明が解決しようとする課題】
【０００４】
しかし、特許文献１に記載の発明では、回り止め用の板が第１クランプ部材の側面に設けられているので、回り止めプレートと仮置き台とが干渉しないように、仮置き台用クランプと仮置き台とを連結する必要があり、両者の連結位置が大きく制限されてしまう。
【０００５】
そして、仮置き台用クランプと仮置き台との連結位置が大きく制限されると、異なる大きさのレールや様々な現場に対して、同一の仮置き台用クランプにて対応することが困難となる可能性が高い。
【０００６】
本発明は、上記点に鑑み、枕木を挟み込むようにして仮置き台を枕木に連結する仮置き台用クランプにおいて、従来と異なる構成にて回り止め手段を構成することを目的とする。
【課題を解決するための手段】
【０００７】
本発明は、上記目的を達成するために、鉄道用のレールを仮置きするための仮置き台を、レールの枕木（Ｓ）を挟み込むようにして枕木（Ｓ）に連結する仮置き台用クランプであって、枕木（Ｓ）の一方の面に接触する第１クランプ部材（２）と、枕木（Ｓ）を挟んで第１クランプ部材（２）と反対側の面から枕木（Ｓ）に接触する第２クランプ部材（３）と、第１クランプ部材（２）と第２クランプ部材とを連結するとともに、枕木（Ｓ）を挟むクランプ力を発生させるボルト（４Ａ）及びナット（４Ｂ）と、ボルト（４Ａ）及びナット（４Ｂ）のうち少なくとも一方を回転させてボルト（４Ａ）にクランプ力が発生させる際に、第１クランプ部材（２）が第２クランプ部材（３）に対して相対的に回転変位することを規制する回り止め手段（２Ｍ、４Ｂ）とを備え、回り止め手段は、第１クランプ部材（２）のうち第２クランプ部材（３）と対向する部位に設けられた嵌合穴（２Ｍ）、及び第２クランプ部材（３）に設けられ、嵌合穴（２Ｍ、２Ｐ）に嵌り込むように第１クランプ部材（２）側に突出する嵌合突起部（４Ｂ、３Ｆ）を有して構成されていることを特徴とする。
【０００８】
これにより、本発明では、従来と異なる構成にて回り止め手段を構成できるとともに、様々な寸法の枕木（Ｓ）に対応することが可能な仮置き台用クランプを得ることができる。
【０００９】
さらに、本発明では、ナット（４Ｂ）は、外周が多角形状に形成されているとともに、第２クランプ部材（３）に接合されて嵌合突起部を構成しており、さらに、嵌合穴（２Ｍ）は、ナット（４Ｂ）の外周面のうち少なくとも２つの面と平行な面を有する穴であることを特徴とする。
【００１０】
これにより、本発明では、クランプ力を発生させる締結部材の一部を利用して回り止め手段を構成することができる。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】（ａ）は仮置き台４０、連結アーム３０及び本発明の第１実施形態に係る仮置き台用クランプ１の上面図であり、（ｂ）は図１（ａ）の側面図である。
【図２】（ａ）は本発明の第１実施形態に係る仮置き台用クランプ１の正面図であり、（ｂ）は図２（ａ）の側面図である。
【図３】（ａ）は本発明の第１実施形態に係る仮置き台用クランプ１の上側クランプ部材２の正面図であり、（ｂ）は図３（ａ）の側面図である。
【図４】（ａ）は本発明の第１実施形態に係る仮置き台用クランプ１の下側クランプ部材３の正面図であり、（ｂ）は図４（ａ）の側面図である。
【図５】（ａ）は本発明の第１実施形態に係る仮置き台用クランプ１の正面図であり、（ｂ）は図２（ａ）の側面図である。
【図６】（ａ）〜（ｃ）は、本発明の実施形態に係る仮置き台用クランプ１と連結アーム３０との揺動状態を示す図である。
【図７】（ａ）及び（ｂ）は、本発明の実施形態に係る仮置き台用クランプ１と連結アーム３０との連結パターンを示す図である。
【図８】本発明の第２実施形態に係る仮置き台用クランプ１の正面図である。
【発明を実施するための形態】
【００１３】
本実施形態は、例えば特開２０１０−１０１１３２号公報に記載の仮置き台を、枕木に連結する仮置き台用クランプに本発明を適用したものであり、以下に本発明の実施形態を図面と共に説明する。
【００１４】
なお、本実施形態に係る仮置き台用クランプ（以下、クランプと略す。）１は、仮置き台に対して着脱可能に連結されるが、仮置き台４０とクランプ１との連結方法は、図１（ａ）及び図１（ｂ）に示すように、連結アーム３０を介して間接的に仮置き台４０に連結する場合、及び連結アーム３０を介すことなく直接的に仮置き台４０に連結する場合のいずれの連結方法であってもよい。
【００１５】
（第１実施形態）
１．クランプの構造
１．１．概略構造
本実施形態に係るクランプ１は、図２（ａ）及び図２（ｂ）に示すように、枕木Ｓの一方の面（本実施形態では上面）に接触する上側クランプ部材２、及び枕木Ｓを挟んで上側クランプ部材２と反対側の面（本実施形態では下面）から枕木Ｓに接触する下側クランプ部材３を有している。そして、ボルト４Ａ及びナット４Ｂからなる締結部材４は、枕木Ｓを挟む込むためのクランプ力を上側クランプ部材２及び下側クランプ部材３に作用させる。
【００１６】
１．２．上側クランプ部材
上側クランプ部材２は、図３（ａ）及び図３（ｂ）に示すように、枕木Ｓを挟み込む際に枕木Ｓの上面Ｓ１（図２（ｂ）参照）に接触する鉄系金属製の上クランププレート２Ａ、枕木Ｓの長手方向端面Ｓ３（図２（ｂ）参照）に接する端面プレート２Ｂ、及びボルト４Ａが挿入される上側連結ボックス２Ｃ等から構成されている。
【００１７】
そして、上クランププレート２Ａは、枕木Ｓの長手方向と直交する水平方向（図３（ａ）の左右方向）に延びる帯板に構成されており、この上クランププレート２Ａの長手方向両端側には、枕木Ｓの水平方向両端面に接触する側面クランププレート２Ｄが設けられている。
【００１８】
なお、本実施形態では、上クランププレート２Ａの長手方向両端側を折り曲げることにより一対の側面クランププレート２Ｄを上クランププレート２Ａに一体形成するとともに、端面プレート２Ｂを上クランププレート２Ａ及び側面クランププレート２Ｄに溶接することにより、二面（図３（ｂ）における左側及び下側）が開放された略箱状の形状が構成されている。
【００１９】
また、上側連結ボックス２Ｃは、上面プレート２Ｅ、下面プレート２Ｆ、背面プレート２Ｇ、側面プレート２Ｈ及び天井プレート２Ｊ等から構成されており、これらプレート２Ｅ〜２Ｈにより、枕木Ｓ側が開放された略箱状の形状が構成されている。
【００２０】
因みに、本実施形態では、Ｕ型鋼材等を用いることにより背面プレート２Ｇと側面プレート２Ｈとを一体化するとともに、このＵ型鋼材に、ＳＰＣＣ等の鉄系金属板にて構成された上面プレート２Ｅ及び下面プレート２Ｆを溶接して上側連結ボックス２Ｃを構成している。
【００２１】
そして、天井プレート２Ｊは、上クランププレート２Ａの上面と一致する（同一高さとなる）ように背面プレート２Ｇ及び側面プレート２Ｈの上端に溶接された鉄系の金属板であり、この天井プレート２Ｊには、ボルト４Ａを締め込む際に用いる工具（例えば、ボックスレンチ）が挿入可能な穴２Ｋが設けられている。
【００２２】
また、上面プレート２Ｅは、天井プレート２Ｊより下方側の位置にて背面プレート２Ｇ及び側面プレート２Ｈに溶接されているととともに、ボルト４Ａが挿入される穴２Ｌが設けられている。なお、上面プレート２Ｅの位置は、穴２Ｌにボルト４Ａが挿入された際に、ボルト４Ａの頭部４Ｃ（図２ｂ参照）が天井プレート２Ｊの上面から突出しない位置に設定されている。
【００２３】
一方、下面プレート２Ｆは、背面プレート２Ｇ及び側面プレート２Ｈの下端に溶接された鉄系の金属板であり、この下面プレート２Ｆには、図３（ａ）及び図３（ｂ）に示すように、ナット４Ｂの外径寸法とほぼ同一寸法であって、ナット４Ｂが嵌合可能な六角状の貫通穴２Ｍ（以下、嵌合穴２Ｍという。）が設けられている。
【００２４】
すなわち、ナット４Ｂは、外周が六角形状に構成された、いわゆる六角高ナットであることから、嵌合穴２Ｍは、その二面幅寸法（ＪＩＳ  Ｂ  １００２（１９８５）等参照）がナット４Ｂの二面幅寸法と同一又は僅かに大きい寸法（例えば、ナット４Ｂの二面幅寸法に対して、０．５ｍｍ〜２ｍｍ程度大きい寸法）なるように形成されている。
【００２５】
そして、一対の側面プレート２Ｈそれぞれには、連結アーム３０又は仮置き台４０を連結するための連結ピン３１（図２（ａ）参照）が挿入される複数の連結穴２Ｎが設けられており、これら連結穴２Ｎは、図２（ｂ）に示すように、ボルト４Ａの軸方向（本実施形態では、上下方向）に沿って直列に並んで形成されている。
【００２６】
１．３．下側クランプ部材
下側クランプ部材３は、図４（ａ）に示すように、背面プレート３Ａ及び一対の側面プレート３Ｂからなるボーンボックス部３Ｃ、ボーンボックス部３Ｃの上端、つまり上側クランプ部材２の下面プレート２Ｆと対向する部位に溶接され上面プレート３Ｄ、この上面プレート３Ｄに溶接されたナット４Ｂ、並びに各側面プレート３Ｂに溶接された下クランプアーム３Ｅ等から構成されている。
【００２７】
そして、本実施形態では、背面プレート３Ａ及び一対の側面プレート３ＢがＵ型鋼材により形成されて一体化されているとともに、下クランプアーム３Ｅは、図４（ｂ）に示すように、ボーンボックス部３Ｃから枕木側（図４（ｂ）の左側）に突出した腕状に形成されている。
【００２８】
なお、本実施形態に係るナット４Ｂは、図４（ａ）に示すように、上面プレート３Ｄを貫通した状態で上面プレート３Ｄに溶接されているが、本実施形態はこれに限定されるものではなく、少なくとも上面プレート３Ｄから上側クランプ部材２側に突出した部分があれば十分である。
【００２９】
つまり、ナット４Ｂは、後述するように、嵌合穴２Ｍに嵌り込むことにより嵌合穴２Ｍと協働して、上側クランプ部材２が下側クランプ部材３に対して相対的に回転変位することを規制する回り止め手段としても機能するものであるので、少なくとも上面プレート３Ｄから上側クランプ部材２側に突出した部分があれば十分である。
【００３０】
また、上面プレート３Ｄのうち枕木Ｓ側の端面は、図２（ｂ）に示すように、上側クランプ部材２と下側クランプ部材３とをボルト４Ａにて連結した際に、端面プレート２Ｂの板面とほぼ面一となるようにボーンボックス部３Ｃから突出している。
【００３１】
このため、枕木Ｓをクランプ１にて挟み込んだ状態では、上面プレート３Ｄの枕木Ｓ側端面及び端面プレート２Ｂが枕木Ｓの長手方向端面に接触することにより、枕木Ｓの長手方向におけるクランプ１の位置が決定される。一方、枕木Ｓの長手方向と直交する水平方向におけるクランプ１の位置は、一対の側面クランププレート２Ｄが枕木Ｓの側面に接触することにより決定される。
【００３２】
２．本実施形態に係るクランプの使用方法及びその特徴
図２（ａ）及び図２（ｂ）に示すように、上側クランプ部材２の上クランププレート２Ａを枕木Ｓの上面Ｓ１に接触するように枕木Ｓに宛がい、かつ、下側クランプ部材３の下クランプアーム３Ｅが枕木Ｓの下面に接触するように枕木Ｓに宛がった状態で、ボルト４Ａをナット４Ｂに嵌め込んでボルト４Ａを締め込んでいく。
【００３３】
このとき、上側クランプ部材２の嵌合穴２Ｍは、ナット４Ｂの外周面に対して、スパナやボックスレンチのごとく嵌り込んだ状態となるので、ボルト４Ａが締め込まれても、上側クランプ部材２が下側クランプ部材３に対して相対的に回転変位することを規制される。
【００３４】
そして、ボルト４Ａが締め込まれていくと、ボルト４Ａに軸力が発生して上側クランプ部材２及び下側クランプ部材３にて枕木Ｓを挟み込む力（クランプ力）は発生するので、枕木Ｓに対して上側クランプ部材２及び下側クランプ部材３の位置が大きくずれてしまうことなく、クランプ１が枕木Ｓに強固にクランプされる。
【００３５】
このとき、例えば枕木Ｓの高さ寸法Ｈが大きい場合には、図５（ａ）及び図５（ｂ）に示すように、ナット４Ｂとボルト４Ａとの螺合長（ネジ結合する部分の長さ）が変化することにより、高さ寸法Ｈの違いが吸収される。
【００３６】
また、本実施形態では、道床等の枕木Ｓが埋設される部位が傾斜している場合には、図６（ａ）〜図６（ｃ）に示すように、クランプ１と連結アーム３０又は仮置き台４０との連結部（連結穴２Ｎに対して連結ピン３１）が回転することにより、道床の傾斜を吸収することができる。
【００３７】
また、本実施形態では、枕木Ｓと仮置き台４０との位置（高さ）が異なる場合には、図７（ａ）又は図７（ｂ）に示すように、連結アーム３０又は仮置き台４０との連結に用いる連結穴２Ｎを変更することにより、枕木Ｓと仮置き台４０との位置（高さ）の違いを吸収することができる。
【００３８】
また、本実施形態では、高ナットで構成されたナット４Ｂが、嵌合穴２Ｍに嵌り込むように上側クランプ部材２側に突出する嵌合突起部として機能する。したがって、別途、回り止め手段専用の構成を設けることなく、上側クランプ部材２と下側クランプ部材３とを連結してクランプ力を発生するナット４Ｂを利用して回り止め手段を構成することができる。
【００３９】
ところで、例えば第２実施形態（図８参照）のごとく、専用の回り止め手段を設けると、連結ピン３１と回り止め手段とが近接又は干渉するおそれがあるが、これを解消するには、クランプ１全体を大型にする必要があるので、クランプ１の大型化及び重量増を招いてしまう。
【００４０】
これ対して、本実施形態では、上側クランプ部材２と下側クランプ部材３とが連結された状態においても、上側連結ボックス２Ｃ内は、水平方向中央部において上下方向に延びるボルト４Ａ及びナット４Ｂのみ存在する構成となるので（図２（ａ）参照）、連結ピン３１と回り止め手段を構成するナット４Ｂとが近接又は干渉するおそれがなく、クランプ１全体の大型化を招くことなく、複数の連結穴２Ｎを上側連結ボックス２Ｃに設けることができる。
【００４１】
したがって、クランプ１と仮置き台４０又は連結アーム３０との連結位置が大きく制限されることがないので、異なる大きさのレールや様々な現場に対して、同一のクランプ１にて対応することができる。
【００４２】
（第２実施形態）
上述の実施形態では、上側クランプ部材２と下側クランプ部材３とを連結する締結部材４の一部（ナット４Ｂ）を用いて回り止め手段を構成したが、本実施形態は、図８に示すように、回り止め手段専用の機構を設けたものである。
【００４３】
すなわち、上側クランプ部材２のうち下側クランプ部材３と対向する下面プレート２Ｆに複数の嵌合穴２Ｐを設け、一方、下面プレート２Ｆと対向する下側クランプ部材３の上面プレート３Ｄに、各嵌合穴２Ｐに嵌り込むように上側クランプ部材２側に突出する嵌合突起部３Ｆを設けたものである。
【００４４】
これにより、本実施形態においても、様々な高さＨの枕木Ｓに対応可能としながら、ボルト４Ａが締め込まれても、上側クランプ部材２が下側クランプ部材３に対して相対的に回転変位することを規制できる。
【００４５】
（その他の実施形態）
上述の実施形態に係るクランプ１は、枕木Ｓを上下方向から挟み込むタイプであったが、本発明はこれに限定されるものではない。
【００４６】
また、上述の実施形態に係るクランプ１では、上側クランプ部材２にボルト４Ａが挿入され、下側クランプ部材３にナット４Ｂが溶接された構成であったが、本発明はこれに限定されるものではなく、例えば、下側クランプ部材３にボルト４Ａが挿入され、上側クランプ部材２にナット４Ｂが溶接された構成であってもよい。
【００４７】
また、本発明は、特許請求の範囲に記載された発明の趣旨に合致するものであればよく、上述の実施形態に限定されるものではない。
【符号の説明】
【００４８】
１…クランプ、２…上側クランプ部材、２Ａ…上クランププレート、
２Ｂ…端面プレート、２Ｃ…上側連結ボックス、２Ｄ…側面クランププレート、
２Ｅ…上面プレート、２Ｆ…下面プレート、２Ｇ…背面プレート、
２Ｈ…側面プレート、２Ｊ…天井プレート、２Ｋ…穴、２Ｌ…穴、２Ｍ…嵌合穴、
２Ｎ…連結穴、３…下側クランプ部材、３Ｂ…側面プレート、
３Ｃ…ボーンボックス部、３Ｄ…上面プレート、３Ｅ…下クランプアーム、
４…締結部材、４Ａ…ボルト、４Ｂ…ナット、３０…連結アーム、３１…連結ピン、
４０…仮置き台。
【図１】
0005618841.tif 000002
【図２】
0005618841.tif 000003
【図３】
0005618841.tif 000004
【図４】
0005618841.tif 000005
【図５】
0005618841.tif 000006
【図６】
0005618841.tif 000007
【図７】
0005618841.tif 000008
【図８】
0005618841.tif 000009